(57)【特許請求の範囲】
【請求項１】
ディスクコントロール情報が記録される領域を含み、
前記ディスクコントロール情報は、ディスクについての情報及び記録関連情報を含むテーブル形態のデータであり、
前記ディスクについての情報は、ディスク種類、バージョンナンバー及びディスク構造情報を含み、
前記記録関連情報は、記録速度及び記録パターンについての情報を含み、
前記記録関連情報は、既存情報として、第1記録速度に対応する第1記録関連情報と、アップデートされた情報として、第2記録速度に対応する第2記録関連情報と、を含むことを特徴とする情報保存媒体。
【請求項２】
ディスクコントロール情報が記録される領域を含み、前記ディスクコントロール情報は、ディスクについての情報及び記録関連情報を含むテーブル形態のデータであり、
前記ディスクについての情報は、ディスク種類、バージョンナンバー及びディスク構造情報を含み、前記記録関連情報は、記録速度及び記録パターンについての情報を含み、
前記記録関連情報は、既存情報として、第1記録速度に対応する第1記録関連情報と、アップデートされた情報として、第2記録速度に対応する第2記録関連情報と、を含む情報保存媒体についてデータを記録及び／または再生するための記録及び／または再生装置において、
前記情報保存媒体についてデータを伝送するための光ピックアップと、
前記ディスクコントロール情報を再生して、前記第1記録関連情報及び前記第2記録関連情報のうち、いずれか１つを選択し、これによって情報保存媒体についてデータを伝送するように光ピックアップをコントロールするコントローラとを含むことを特徴とする装置。
【発明の詳細な説明】
【技術分野】
【０００１】
本発明は、情報保存媒体及びその記録及び／または再生方法に係り、さらに詳細には、バージョンナンバーまたは記録速度が変わるにつれて、既存の情報とアップデートされた情報とを共に記録した情報保存媒体及びその記録及び／または再生方法に関する。
【背景技術】
【０００２】
一般的に、光情報保存媒体、例えば、光ディスクは、非接触式で情報を記録／再生する光ピックアップ装置の情報媒体として広く採用され、情報記録容量によってコンパクトディスク（ＣＤ）、デジタル多機能ディスク（ＤＶＤ）に区分されうる。そして、データの記録、消去及び再生が可能な光ディスクとしては、ＣＤ−Ｒ、ＣＤ−ＲＷ、ＤＶＤ−ＲＷ、ＤＶＤ−ＲＡＭ、ＤＶＤ＋ＲＷがある。
【０００３】
一方、前記のような光ディスクの記録速度が高倍速化され、ディスクバージョンが向上するにつれて、これと関連したディスク関連情報及び記録関連情報をドライブに提供しなければならない。特に、バージョンや記録速度が変わるにつれて、既存ドライブでも互換性をもって記録及び／または再生を行わせることが、ユーザの立場で望ましい。一方、ディスクフォーマットを決定する立場では、既存フォーマットとの一貫性を維持するように記録関連情報パラメータを決定することが望ましい。
【０００４】
光ディスクの記録速度によって適した記録特性があり、これら特性を満足させるようにディスクドライブが作動されて初めて信頼するほどの記録が行われる。しかし、一般的に、ディスクドライブ及び光ディスクの速度が速まりつつ、これらの規格を新たに定める時、規格に対するバージョンも共に変わる。そして、アップデートされたバージョンの規格で、記録速度または記録方法のような記録特性に関連した色々な内容が変わる。
【０００５】
したがって、既存バージョンのドライブによってアップデートされたバージョンの光ディスクに良好な記録を行うためには、既存バージョンのドライブでアップデートされたバージョンの情報及び記録関連情報を判読できなければならない。しかし、既存ドライブを製作する時には、未来の新たなバージョンのナンバーや記録速度、記録方法について全く予測できないので、未来の光ディスクについての速度やバージョン情報までカバーできるようにドライブを製作することは不可能である。このために、既存バージョンのドライブでもアップデートされた光ディスクを記録及び／または再生できる光ディスク及びその記録／再生方法を模索する必要がある。
【発明の開示】
【発明が解決しようとする課題】
【０００６】
本発明は、前記問題点を勘案して案出されたものであって、記録速度またはバージョンが変わるにつれて変更されるディスク関連情報及び記録関連情報のパラメータを、既存バージョンのドライブでも認識して記録及び／または再生できる情報保存媒体及びその記録及び／または再生方法を提供するところにその目的がある。
【課題を解決するための手段】
【０００７】
前記目的を達成するために、本発明による情報保存媒体は、既存のディスク関連情報及び記録関連情報と、バージョンナンバー及び記録速度のうち少なくとも何れか一つが変わるにつれてアップデートされるディスク関連情報及び記録関連情報が共に同一領域に記録されることを特徴とする。
【０００８】
バージョンナンバー及び記録速度のうち、少なくとも何れか一つが変わるにつれてアップデートされるディスク関連情報及び記録関連情報が、既存のディスク関連情報及び記録関連情報が記録された形式と同じ形式で記録されることが望ましい。
【０００９】
前記既存のディスク関連情報及び記録関連情報の次に連続してアップデートされるディスク関連情報及び記録関連情報が記録されうる。
【００１０】
前記アップデートされるディスク関連情報及び記録関連情報のうち一部は、既存ディスク関連情報及び記録関連情報と形式は同じであるが、バイト数が異なって記録されうる。
【００１１】
バイト数が異なって記録される情報は、新たな記録パターンと関連したパラメータであり、既存の記録パターンのパラメータを含みうる。
【００１２】
前記目的を達成するために、本発明による情報保存媒体の記録及び／または再生方法は、既存のディスク関連情報及び記録関連情報を記録する段階と、バージョンナンバー及び記録速度のうち少なくとも何れか一つが変わるにつれてアップデートされるディスク関連情報及び記録関連情報を、前記既存のディスク関連情報及び記録関連情報が記録された領域と同一領域に記録する段階と、を含むことを特徴とする。
【００１３】
前記ディスク関連情報と記録関連情報とは、差動信号チャンネルまたはサム（Ｓｕｍ）チャンネルで再生されうる。
【００１４】
他の側面による本発明の方法は、バージョン情報、タイミング情報及び記録速度情報を含むコントロール情報を使用することによって、情報保存媒体に／から情報を記録及び／または再生する方法であって、情報保存媒体の所定の第１領域についての既存のコントロール情報を記録及び／または再生する段階と、前記第１領域以外の情報保存媒体の他の領域についてのアップデートされたコントロール情報を記録及び／または再生する段階とを含み、既存のバージョンナンバー情報及びアップデートされたコントロール情報が、情報保存媒体についての記録及び／または再生に使われる所定セットのパラメータを含むことを特徴とする。
【００１５】
本発明の他の側面によれば、アップデートされたコントロール情報が既存コントロール情報について連続的な方式で記録され、既存及びアップデートコントロール情報が記録速度、記録パワー、再生パワー及び記録パターンのうち少なくとも一つを表し、既存及びアップデータコントロール情報のうち一つは、プッシュプル信号チャンネル及びサムチャンネルのうち一つによって記録され、前記一つのコントロール情報がプッシュプル信号チャンネルを経由して再生され、グルーブウォッブルフォーマットで記録され、前記コントロール情報がサムチャンネルによって再生され、前記情報保存媒体のリードイン領域及びリードアウト領域のうち、少なくとも一つの記録可能な領域に記録される情報であり、既存及びアップデートコントロール情報のうち一つは、グルーブウォッブルフォーマットで情報保存媒体のリードイン領域及びリードアウト領域のうち、少なくとも一つの記録可能な領域に記録され、かつ／または記録及びアップデートコントロール情報のうち一つは、グルーブウォッブル状に記録される。
【００１６】
本発明の他の側面によれば、情報保存媒体は、既存コントロール情報についてバージョンナンバー、タイミング情報、及び記録速度情報のうち、少なくとも一つの変化によってアップデートされたコントロール情報が記録された領域を含み、使われるドライブに対応するアップデートされたコントロール情報及び既存のコントロール情報のうち、一つによってドライブがデータを記録及び／または再生するユーザデータ領域を含む。
【００１７】
本発明の他の側面によれば、アップデートされたコントロール情報は、既存コントロール情報に対して連続的な方式で記録され、既存及びアップデートコントロール情報は、記録速度、記録パワー、再生パワー及び記録パターンのうち、少なくとも一つを表し、既存及びアップデートコントロール情報のうち一つは、プッシュプル信号チャンネル及びサムチャンネルのうち一つによって記録され、前記一つのコントロール情報は、プッシュプル信号チャンネルによって再生され、グルーブウォッブルフォーマットで記録され、かつ／または前記ユーザデータ領域と異なる領域にリードイン領域及びリードアウト領域のうち一つが位置し、前記一つのコントロール情報がサムチャンネルによって再生され、前記リードイン領域及びリードアウト領域のうち一つの記録可能な領域に記録された情報である。
【００１８】
本発明によれば、情報保存媒体は、前記ユーザデータ領域と異なる領域にリードイン領域及びリードアウト領域のうち一つが位置し、既存及びアップデートコントロール情報のうち一つは、サムチャンネルによって再生され、前記リードイン領域及びリードアウト領域のうち一つの記録可能な領域に記録された情報である。
【００１９】
本発明によれば、既存及びアップデートコントロール情報がグルーブウォッブル状に記録される。
【００２０】
本発明によれば、既存コントロール情報及びアップデートコントロール情報を含むディスク情報を有する情報保存媒体に対してデータを記録及び／または再生するための記録及び／または再生装置は、前記情報保存媒体に対してデータを伝送するための光ピックアップと、前記情報保存媒体の第１領域から既存コントロール情報及びアップデートされたコントロール情報を検出するように前記光ピックアップをコントロールして、前記既存のコントロール情報及びアップデートされた情報のうち、何れかが前記装置によって使用可能なドライブコントロール情報に対応するかを決定し、決定された既存コントロール情報及びアップデートされたコントロール情報によって、第１領域以外の情報保存媒体の第２領域に対してデータを伝送するように光ピックアップをコントロールするコントローラとを含み、前記既存コントロール情報及びアップデートされたコントロール情報は、それぞれバージョン情報、タイミング情報、及び記録速度情報を含む。
【００２１】
本発明によれば、既存及びアップデートコントロール情報は、第１領域に連続的に記録され、既存及びアップデートコントロール情報のうち一つは、記録速度、記録パワー、再生パワー、及び記録パターンのうち、少なくとも一つを表す情報を含み、既存及びアップデートコントロール情報のうち一つは、プッシュプル信号チャンネル及びサムチャンネルのうち一つによって記録され、前記一つのコントロール情報がプッシュプル信号チャンネルを経由して再生され、グルーブウォッブルフォーマットで記録され、前記コントロール情報がサムチャンネルによって再生され、前記情報保存媒体のリードイン領域及びリードアウト領域のうち、少なくとも一つの記録可能な領域に記録される情報であり、既存及びアップデートコントロール情報のうち一つは、グルーブウォッブルフォーマットで情報保存媒体のリードイン領域及びリードアウト領域のうち少なくとも一つの記録可能な領域に記録され、かつ／または記録及びアップデートコントロール情報のうち一つは、グルーブウォッブル状に記録される。
【発明の効果】
【００２２】
本発明によれば、記録速度またはバージョンが変わるにつれて変更されるディスク関連情報及び記録関連情報のパラメータを、既存バージョンのドライブでも認識して記録及び／または再生できる。
【発明を実施するための最良の形態】
【００２３】
以下、本発明の望ましい実施例による情報保存媒体及びその記録及び／または再生方法について、添付された図面を参照して詳細に説明する。
【００２４】
図１は、リードイン領域１０とユーザデータが記録されるデータ領域１５及びリードアウト領域を含む情報保存媒体において、リードイン領域１０とデータ領域１５とのデータ構造を概略的に示す図である。一方、リードアウト領域は、リードイン領域１０と類似な構造を有するので、ここではその詳細な説明を省略する。
【００２５】
リードイン領域１０は、例えば、ディスクテストゾーン１０−１、ドライブテストゾーン１０−２、欠陥管理ゾーン１０−３、ディスクコントロールデータゾーン１０−５及びバッファゾーン１０−６を備えて構成されうる。そして、予定されていないが、その後に他の情報が記録されうる余裕領域として保留ゾーン１０−４がさらに備えられうる。
【００２６】
望ましくは、情報保存媒体がデータ移送率を向上させるために記録速度が変わる時には、単純な速度情報だけでなく、バージョンナンバー、記録時に使われるライティングストラティジーも変更される。しかし、既存バージョンのドライブでは、今後出るバージョンナンバーが分からず、また記録速度も制限されている。このような状況下で、次期バージョンのディスクを既存ドライブでも使用可能にし、また新たなドライブでも使用可能にするために、既存のディスク関連情報及び記録関連情報とアップデートされたディスク関連情報及び記録関連情報とを共に提供することが望ましい。
【００２７】
例えば、バージョン１.０に対応するディスクについての情報及び記録関連情報が記録された例が、図２Ａに示されている。ディスク関連情報及び記録関連情報は、ディスクマスタリング時にグルーブウォッブル状に記録され、ユーザデータを記録する前または記録した後に、リードイン領域１０及びリードアウト領域のうち少なくとも何れか一つの記録可能な領域に、グルーブウォッブル状に記録された情報が複写されて同一に記録される。この時、リードイン領域またはリードアウト領域に記録された情報とグルーブウォッブル状に記録された情報とは同じ情報であり、同じバイト数及び同じ形式で記録できる。グルーブウォッブルは、ユーザデータ領域１５に形成されたものでありうる。また、リードイン領域１０のディスクコントロールデータゾーン１０−５にディスク関連情報と記録関連情報とが記録されうる。
【００２８】
一方、グルーブウォッブル状に記録された情報とリードイン領域１０またはリードアウト領域に記録された情報とが一部異なる場合がありうる。例えば、ユーザデータ領域を表す時、グルーブウォッブルには、ユーザデータ領域の最大アドレスが記録され、リードイン領域またはリードアウト領域には、ユーザデータが記録終了された後、実際に記録が終了した領域のアドレスが記録されうる。このような場合には、グルーブウォッブル状に記録されたデータと、リードイン領域及びリードアウト領域に記録されたデータとが一部異なりうる。
【００２９】
ディスク関連情報は、例えば、ディスク種類及びバージョンナンバー、ディスクサイズ、ディスク構造、製造者情報のような情報でありうる。また、記録関連情報としては、記録速度、再生パワー、Ｔｔｏｐ、Ｔｍｐ、Ｔｃｌのような記録パターン情報が記録されうる。図２Ｂは、バージョン１.０に対応する記録パターンの一例を示す図であって、Ｔｔｏｐ、Ｔｍｐ、Ｔｃｌは、記録パターンの初期パルスタイム、マルチパルスタイム、冷却パルスタイムをそれぞれ表す。そして、Ｐｗ、Ｐｅ、Ｐｂは、それぞれ記録パワー、消去パワー、バイアスパワーを表し、７Ｔ、３Ｔで、Ｔは記録マークの最小長さを表す。また、前記のような記録関連情報が記録されるのに使われたバイト数についての情報が記録される。この情報を参照して、記録関連データを再生する時に必要なデータのみを選択的に再生できる。図２では、ディスク関連情報が０−３バイトに記録され、記録関連情報が４−９バイトに記録された場合を例示した。そして、１０−Ｍバイトを保留領域として残すことができる。ここで、Ｍは、１０以上のバイトナンバーを表す。
【００３０】
次いで、バージョンナンバー及び記録速度のうち何れか一つが変更される場合、変更された内容によってディスク関連情報や記録関連情報が変更される。この時、この変更された情報を既存のディスク関連情報や記録関連情報が記録された次のバイトから続いて記録することが望ましい。図３Ａを参照するに、０−１０バイトまでは、既存バージョン、すなわちバージョン１.０に対応するディスク関連情報と記録関連情報とが記録され、次いで、１１バイトから新たなバージョンまたは記録速度についての変更された情報が記録される。新たなディスク関連情報または記録関連情報を記録する時、既存のディスク関連情報または記録関連情報が記録された形式と同じ形式で記録することによって、既存フォーマットとの一貫性を維持することが望ましい。同じ形式で記録されるが、データが記録されるバイト数は変わりうる。
【００３１】
例えば、バージョン２.０に対応するディスクについての記録パターンが、図３Ｂに示されたような記録パターンである場合に、既存バージョン１.０に対応するディスクに対する記録パターン（図２Ｂ参照）と比較すれば、次のような変化がある。Ｔｔｏｐ、Ｔｍｐ、Ｔｃｌのようなパラメータは同じであるが、消去パワーをＰｅ２及びＰｅ１として、消去部分のパラメータＴｅｍｐがさらに追加された。すなわち、消去領域のパワーレベルを２段階より構成し、これに対する消去パターン部の時間に対する情報を追加した場合である。このような場合に、バージョン１.０についての情報が記録された０−１０バイトに続いて、１１バイトから新たなバージョンについての情報を記録するが、既存バージョンについての情報が記録された形式と同じ形式で記録することが望ましい。すなわち、記録する情報の順序を既存と同じ順序で記録することである。但し、前述したように、既存情報に比べてさらに追加されるパラメータがある場合、バイト数が変わりうる。図３Ａを参照すれば、記録パターンに対するパラメータのうち、Ｔｅｍｐがさらに追加されて、新たなバージョンについては１１−２１バイトまでディスク関連情報と記録関連情報とが記録される。前記のように、既存の情報と同じ形式で記録されるが、バイト数が異なって記録される場合は、例えば、記録パターンと関連したパラメータが変わる場合でありうる。さらに、アップデートされる記録パターンには、既存の記録パターンを含みうる。すなわち、新たな記録パターンに既存の記録パターンであるＴｔｏｐ、Ｔｍｐ、Ｔｃｌがそのまま含まれ、Ｔｅｍｐが追加される。
【００３２】
一方、バージョンは変化がなく、記録速度のみが変更される場合がありうる。例えば、バージョンは２.０と変わらず、記録速度が５ｍ／ｓから３ｍ／ｓに変更される場合に、バージョンは変動がないので、ディスク関連情報は変わらず、記録関連情報のみが変更される。このように、ディスク関連情報が変わらない場合に、同じディスク関連情報を再び反復して記録せず、変更された記録関連情報のみを記録することが望ましい。図３Ａに示されたように、２２−２８バイトでの記録速度の変化による記録関連情報を記録する。そして、１１−１４バイトに記録されたディスク関連情報と２２−２８バイトに記録された記録関連情報とを利用して、ユーザデータを記録する。
【００３３】
図４は、本発明による情報保存媒体にユーザデータを記録及び／または再生する過程を示す図であって、図３Ａと関連して説明する。まず、ディスクをドライブにローディングすれば（Ｓ１０）、使われるドライブが既存バージョンのドライブである時には、１−９バイトを再生し、ドライブが新たなバージョンのドライブである時には、新たなバージョンに対応する１１−２１バイトまたは２２−２８バイトを再生する。バージョンによって再生されるバイト数が定められている。例えば、図３Ａで、４バイトに記録された情報を再生することによって、再生されなければならないバイト数が分かる。
【００３４】
既存ドライブでデータを記録及び／または再生する場合には、既存ドライブに対応する情報、すなわち、０−９バイトに記録された情報を再生し（Ｓ１５）、この情報を利用してユーザデータを記録及び／または再生する（Ｓ２０）。または、新たなドライブでデータを記録及び／または再生する場合には、新たなドライブに対応する情報、すなわち、１１−２１バイトに記録された情報を再生し（Ｓ２５）、この情報を利用してユーザデータを記録及び／または再生する（Ｓ３０）。特に、新たなドライブでのデータの記録及び／または再生において、バージョンは変わらずに記録速度のみが変更された場合には、ディスク関連情報である１１−１４バイトに記録された情報はそのまま利用し、記録関連情報としては、２２−２８バイトに記録された情報を利用してユーザデータを記録及び／または再生することが望ましい。
【００３５】
次いで、本発明による情報保存媒体の記録及び／または再生方法について説明する。
【００３６】
まず、既存のディスク関連情報及び記録関連情報を記録し、バージョンナンバー及び記録速度のうち、少なくとも何れか一つが変わるにつれてアップデートされるディスク関連情報及び記録関連情報を、前記既存のディスク関連情報及び記録関連情報が記録された領域と同じ領域に記録する。ここで、ディスク関連情報及び記録関連情報が記録される領域は、図１を参照するに、ディスクコントロールデータゾーン１０−５でありうる。
【００３７】
そして、アップデートされるディスク関連情報及び記録関連情報を、既存のディスク関連情報及び記録関連情報が記録された後のバイトに連続的に記録するが、既存情報が記録された形式と同じ形式で記録して、既存フォーマットと一貫性を維持することが望ましい。
【００３８】
一方、本発明では、前記ディスク関連情報と記録関連情報とが差動信号チャンネルまたはサムチャンネルで再生されうる。差動信号チャンネルで再生される情報は、グルーブウォッブル状に記録された情報であり、サムチャンネルで再生される情報は、リードイン領域１０及びリードアウト領域のうち、少なくとも何れか一つの記録可能な領域に記録される情報でありうる。サムチャンネルで再生される情報は、ユーザデータ領域１５に記録されたマークと同じ方式で記録された情報でありうる。
【００３９】
前記情報保存媒体は、ＣＤ−Ｒ、ＣＤ−ＲＷ、ＤＶＤ−ＲＷ、ＤＶＤ−ＲＡＭ、ＤＶＤ＋ＲＷ、Ｂｌｕ−ｒａｙディスク及びＡＯＤ（Ａｄｖａｎｃｅｄ  Ｏｐｔｉｃａｌ  Ｄｉｓｃ）のような次世代高密度ＤＶＤまたは未来に生成されうる他のいかなるタイプのディスクも含みうる。
【００４０】
図５は、本発明の実施例による記録装置のブロックダイヤグラムである。図５を参照するに、記録装置は、記録／再生ユニット１００１、コントローラ１００２及びメモリ１００３を含む。記録／再生ユニット１００１は、本発明の情報保存媒体１０００の実施例であるディスク１０００にデータを記録し、ディスク１０００からデータを読出す。コントローラ１００２は、図１ないし図４と関連して説明したような本発明によるディスク関連データを記録しかつ再生する。
【００４１】
全ての面で要求されるわけではないが、コントローラ１００２は、コンピュータ再生可能媒体にエンコーディングされたコンピュータプログラムを使用する方法を実現するコンピュータでありうる。コンピュータは、ファームウェアを有するチップで実現されうるか、または前記方法を行うようにプログラム化できる一般または特殊目的のコンピュータでありうる。
【００４２】
また、数十ギカバイトの記録容量を具現するために、記録／再生ユニット１００１は、ディスク１０００に数十ギカバイトのデータを記録するのに使用できる低い波長、高開口数タイプのユニットを含みうる。このようなユニットの例は、４０５ｎｍ波長の光と０.８５開口数とを有するユニットを含み、ブルーレイディスクと互換可能であり、かつ／またはＡＯＤと互換可能である。
【００４３】
本発明は、特に望ましい実施例を参照して示されて説明され、本発明の特許請求の範囲及びその均等範囲によって定義されるような本発明の思想及び範囲から離脱されないように変化されうる。
【産業上の利用可能性】
【００４４】
本発明による情報保存媒体及びその記録及び／または再生方法は、バージョンや記録速度が変わるにつれて、既存のバージョンや記録速度についてのディスク関連情報及び記録関連情報とアップデートされるディスク関連情報及び記録関連情報とを共に記録することによって、既存バージョンのドライブでも新たなバージョンの情報保存媒体を記録及び／または再生可能にする。また、アップデートされるディスク関連情報と記録関連情報とを既存の情報と同じ形式で記録して、既存フォーマットと一貫性を維持させる。
【図面の簡単な説明】
【００４５】
【図１】本発明と関連した情報保存媒体のリードイン領域とユーザデータ領域とのデータ構造を概略的に示す図である。
【図２Ａ】本発明による情報保存媒体及びその記録及び／または再生方法を説明するための図である。
【図２Ｂ】本発明による情報保存媒体を記録するための記録パターンの一例を示す図である。
【図２Ｃ】本発明による情報保存媒体を記録するための記録パターンの一例を示す図である。
【図３Ａ】本発明の望ましい実施例による情報保存媒体のデータ構造を示す図である。
【図３Ｂ】本発明による情報保存媒体を記録するための記録パターンの他の例を示す図である。
【図３Ｃ】本発明による情報保存媒体を記録するための記録パターンの他の例を示す図である。
【図４】本発明による情報保存媒体を記録及び／または再生する過程を示す図である。
【図５】本発明の望ましい実施例による記録及び／または再生装置のブロックダイアグラムである。
【符号の説明】
【００４６】
１０      リードイン領域
１５      データ領域
１０００  ディスク
１００１  記録／再生ユニット
１００２  コントローラ
１００３  メモリ
【図１】
0005247378.tif 000002
【図２Ａ】
0005247378.tif 000003
【図２Ｂ】
0005247378.tif 000004
【図２Ｃ】
0005247378.tif 000005
【図３Ａ】
0005247378.tif 000006
【図３Ｂ】
0005247378.tif 000007
【図３Ｃ】
0005247378.tif 000008
【図４】
0005247378.tif 000009
【図５】
0005247378.tif 000010